(57)【要約】 【課題】  磁気センサに対して良好な磁気環境を確保し、筐体に有効な搭載スペースが得られ且つ組み立てによる検知誤差を少なくできる開閉度検知用磁気センサユニットを提供すること。【解決手段】  回転軸４と円筒状の回転軸受け部６とを有するヒンジ機構の内部に形成され、マグネット及び磁気センサを備える開閉度検知用磁気センサユニットであり、回転軸受け部６には磁気センサ７が配設され、回転軸４にはマグネット５が配設された開閉度検知用磁気センサユニットである。【選択図】  図１
2007046950.tif 000002
【特許請求の範囲】
【請求項１】
磁石及び磁気センサを備え、回転軸部と円筒状の軸受け部とを有するヒンジ機構の内部に配設された開閉度検知用磁気センサユニットであって、前記軸受け部には磁気センサが配置され、前記回転軸部には磁石が配置されたことを特徴とする開閉度検知用磁気センサユニット。
【請求項２】
磁石及び磁気センサを備え、回転軸部と円筒状の軸受け部とを有するヒンジ機構の内部に配設された開閉度検知用磁気センサユニットであって、前記軸受け部には磁石が配置され、前記回転軸部には磁気センサが配置されたことを特徴とする開閉度検知用磁気センサユニット。
【発明の詳細な説明】
【技術分野】
【０００１】
本発明は、主に折り畳み型電子機器に用いられる開閉度検知用磁気センサユニットに関する。
【背景技術】
【０００２】
従来、折り畳み式携帯電話機においてはヒンジ機構を介して下筐体（第１の筐体）と上筐体（第２の筐体）とが回転可能に連結された機構が用いられており、開閉検知として磁気センサとマグネットを用いた検知方式が一般的である。折り畳み式携帯電話機等においては、下筐体及び上筐体にそれぞれマグネット又は磁気センサの一方を配置し検知機構とし、非接触で検知することにより、高耐久性、高品質を達成している。
【０００３】
たとえば、特許文献１に開示されている技術では、第１及び第２のケースの一方には、それらのケースを折り畳んだ状態で、合い重なる位置で磁力を認識してスイッチ制御を行う磁気センサ素子を実装し、第１及び第２のケースの他方には、前記折り畳んだ状態で磁力を前記磁気センサ素子が認識し開閉検出を行うよう内部に磁石を有するデバイスを実装する構造が開示されている。
【０００４】
また、特許文献２に開示されている技術では、折り畳み式携帯端末機器において、折り畳み状態か否かの検出のみに留まらず、開閉角度を検出し、検出角度に対応して各種動作を制御している。
【０００５】
【特許文献１】特開２００２−１２５０２５号公報
【特許文献２】特開２００４−２９７４５３号公報
【発明の開示】
【発明が解決しようとする課題】
【０００６】
近年、折り畳み式携帯電話機等においては電話機自体の高機能化及び小型化の市場要求があり、部品の小型化による省スペース化が必須となっている。一方、携帯電話機等においてはマグネットを使用した振動モータ、レシーバ、スピーカ等を搭載しており、磁気センサの検知環境としては決して良好とは言い難く、更に高機能化による搭載スペースの減少がこの傾向に拍車をかけ、携帯電話機等でのセンサ及びマグネットの配置を決定する際に設計工数の増大要因となっている。
【０００７】
また、マグネットと磁気センサを別々の筐体に配置し組みたてるため、組み立て後のマグネットと磁気センサの相対位置がずれることより磁気センサの検知誤動作が起きるという問題点がある。
【０００８】
本発明は、上述の事情に鑑み、磁気センサに対して良好な磁気環境を確保し、筐体に有効な搭載スペースが得られ且つ組み立てによる検知誤差を少なくできる開閉度検知用磁気センサユニットを提供することを目的とする。
【課題を解決するための手段】
【０００９】
上記課題を解決するために、本発明の開閉度検知用磁気センサユニットは、マグネットと磁気センサを主要部品とし、ヒンジ機構を構成する回転軸部及び円筒状の回転軸受け部にそれぞれマグネット又は磁気センサを配置し予めユニット化して、すなわち、ヒンジ機構に内蔵された状態で折り畳み型電子機器の開閉度を検知する。
【００１０】
すなわち、本発明の開閉度検知用磁気センサユニットは、磁石及び磁気センサを備え、回転軸部と円筒状の軸受け部とを有するヒンジ機構の内部に配設された開閉度検知用磁気センサユニットであって、前記軸受け部には磁気センサが配置され、前記回転軸部には磁石が配置されたことを特徴とする。
【００１１】
また、本発明の他の開閉度検知用磁気センサユニットは、磁石及び磁気センサを備え、回転軸部と円筒状の軸受け部とを有するヒンジ機構の内部に配設された開閉度検知用磁気センサユニットであって、前記軸受け部には磁石が配置され、前記回転軸部には磁気センサが配置されたことを特徴とする。
【発明の効果】
【００１２】
本発明によれば、マグネットと磁気センサをヒンジ機構内で予めユニット化することで、磁気センサの動作環境として磁気環境が良好であり、筐体の搭載スペースを確保でき、且つ上下筐体の組み立てによる検知誤差の発生を防止できる開閉度検知用磁気センサユニットを提供できる。  
【発明を実施するための最良の形態】
【００１３】
本発明の一実施の形態の開閉度検知用磁気センサユニットは、上下の筐体の回転動作の中心になるヒンジ部にマグネットと磁気センサを配置しユニット化した開閉度検知用磁気センサユニットである。
【００１４】
次に、図面に基づいて本発明の一実施の形態を説明する。図１は本発明の一実施の形態での開閉度検知用磁気センサユニットを示す断面図であり、同時に、ヒンジ機構の一端を示す断面図である。図２は本発明の一実施の形態での開閉度検知用磁気センサユニットをヒンジ機構内に配設した折り畳み式携帯電話機の外観を示す斜視図ある。
【００１５】
この折り畳み式携帯電話機は、図２に示すように、下筐体１と上筐体２とがヒンジ機構３によって回転可能に連結されてなる。そのヒンジ機構３については、図１のようなヒンジ機構を両側から対称に配設し、回転軸４には上筐体２を接続し、回転軸受け部６には下筐体１を接続する。また、回転軸４に下筐体１を接続し、回転軸受け部６に上筐体２を接続してもよい。
【００１６】
図１に基づいて、本発明の一実施の形態での磁気センサユニットを詳しく説明する。回転軸４にマグネット５を配置し、回転軸受け部６に磁気センサ７を配置し、筐体の回転による開閉検知を可能にする。ここで、たとえば、磁気センサにはＭＲ素子（磁気抵抗効果素子）又はホール素子を使うことにより、筐体の開状態又は閉状態を検知するＯＮ／ＯＦＦスイッチとして動作させてもよく、開閉度（概略の開閉角度）を検知することにより、開閉度合いに応じた折り畳み式携帯電話機の動作を設定するための信号を出力してもよい。また、マグネット５には直方体状、円弧板状などの、ランタネット磁石、Ｆｅ-Ｃｒ-Ｃｏ磁石、Ｎｄ-Ｆｅ磁石又はフェライト磁石を使うとよい。
【００１７】
このとき、マグネットとセンサの相対的な配置を制御することで回転角の設計自由度を確保できる。具体的には、（１）回転軸心のまわりでの磁気センサとマグネットのなす角度を設定すること、及び、（２）回転軸心に平行な方向の座標軸での磁気センサとマグネットの位置を設定することにより、磁気センサから一定の出力値を得るときの開閉角度を広範囲に設定できる。
【００１８】
本実施の形態とは逆に、回転軸４に磁気センサを配置し、回転軸受け部６にマグネットを配置することも可能である。
【図面の簡単な説明】
【００１９】
【図１】本発明の一実施の形態での開閉度検知用磁気センサユニットを示す断面図。
【図２】本発明の一実施の形態での開閉度検知用磁気センサユニットをヒンジ機構内に配設した折り畳み式携帯電話機の斜視図。
【符号の説明】
【００２０】
１    下筐体
２    上筐体
３    ヒンジ機構
４    回転軸
５    マグネット
６    回転軸受け部
７    磁気センサ
【図１】
2007046950.tif 000003
【図２】
2007046950.tif 000004